【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
モバイルデバイスにおける方法であって、
ベニュー内でフェムトセルトランシーバによって認識可能であり、任意の公衆事業者定義のグローバルに一意の識別子とは無関係に決定された、前記モバイルデバイスのためのグローバルな一意の識別子を決定することと、
メディアアクセス制御（ＭＡＣ）アドレスおよび前記グローバルな一意の識別子を備える少なくとも１つのメッセージをロケーションサーバに送信することと、
前記ロケーションサーバと通信中の前記フェムトセルトランシーバのうちの少なくとも１つによる測位動作をサポートするために、前記グローバルな一意の識別子を備える１つまたは複数のワイヤレス信号を前記フェムトセルトランシーバのうちの前記少なくとも１つに送信することとを備える、方法。
【請求項２】
前記１つまたは複数のワイヤレス信号が、前記フェムトセルトランシーバのうちの前記少なくとも１つからの要求に応答することなく送信される、請求項１に記載の方法。
【請求項３】
前記測位動作が、ネットワーク中心測位動作を備える、請求項１に記載の方法。
【請求項４】
前記グローバルな一意の識別子が、前記モバイルデバイスのプロバイダに割り当てられた一意のＩＤと、前記モバイルデバイスの前記プロバイダによって割り当てられたローカル識別子との連結を備える、請求項１に記載の方法。
【請求項５】
前記モバイルデバイスの前記プロバイダが、前記モバイルデバイスに対する、高レベルオペレーティングシステム、測位エンジン、モデム、アプリケーション、加入者識別モジュール、またはユニバーサル加入者識別モジュールのうちの少なくとも１つのプロバイダを備える、請求項４に記載の方法。
【請求項６】
前記測位エンジンが、測位動作を実行するように構成されたハードコードされたデバイスを備える、請求項５に記載の方法。
【請求項７】
前記測位エンジンが、測位動作を実行することをプロセッサによって実行できる機械可読命令を備える、請求項５に記載の方法。
【請求項８】
前記ロケーションサーバが、セキュアユーザプレーンロケーション（ＳＵＰＬ）ロケーションプラットフォーム（ＳＬＰ）、拡張サービングモバイルロケーションセンター（Ｅ−ＳＭＬＣ）、またはスタンドアロンサービングモバイルロケーションセンター（ＳＡＳ）のうちの少なくとも１つを備え、前記ロケーションサーバに前記少なくとも１つのメッセージを送信することが、フェムトセルトランシーバおよび前記フェムトセルトランシーバに接続されたローカルルーティングデバイスを介して前記少なくとも１つのメッセージを送信することを備える、請求項１に記載の方法。
【請求項９】
前記フェムトセルトランシーバが、ロングタームエボリューション（ＬＴＥ（登録商標））に従って構成されたホーム展開型ｅＮｏｄｅＢ（ＨｅＮＢ）を備え、前記ロケーションサーバとの通信が、ＬＴＥ測位プロトコルＡ（ＬＰＰａ）メッセージを送信することおよび受信することを備える、請求項８に記載の方法。
【請求項１０】
モバイルデバイスにおける装置であって、
ベニュー内でフェムトセルトランシーバによって認識可能であり、任意の公衆事業者定義のグローバルに一意の識別子とは無関係に決定された、前記モバイルデバイスのためのグローバルな一意の識別子を決定するための手段と、
メディアアクセス制御（ＭＡＣ）アドレスおよび前記グローバルな一意の識別子を備える少なくとも１つのメッセージをロケーションサーバに送信するための手段と、
前記ロケーションサーバと通信中の前記フェムトセルトランシーバのうちの少なくとも１つによる測位動作をサポートするために、前記グローバルな一意の識別子を備える１つまたは複数のワイヤレス信号を前記フェムトセルトランシーバのうちの前記少なくとも１つに送信するための手段とを備える、装置。
【請求項１１】
フェムトセルトランシーバにおいて、
任意の事業者定義のグローバルに一意の識別子とは無関係にモバイルデバイスにおいて決定されたグローバルな一意の識別子およびメディアアクセス制御（ＭＡＣ）アドレスを取得するため、および１つまたは複数のワイヤレス信号の１つまたは複数の特性の１つまたは複数の測定値を取得するために、前記モバイルデバイスから送信された前記１つまたは複数のワイヤレス信号を収集することと、ここにおいて、前記収集されたグローバルな一意の識別子は、前記メディアアクセス制御（ＭＡＣ）アドレス以外である、
前記１つまたは複数の測定値および前記グローバルな一意の識別子を備える１つまたは複数のメッセージを測位動作における使用のためにロケーションサーバに送信することとを備える、方法。
【請求項１２】
フェムトセルトランシーバにおける装置であって、
任意の事業者定義のグローバルに一意の識別子とは無関係にモバイルデバイスにおいて決定されたグローバルな一意の識別子およびメディアアクセス制御（ＭＡＣ）アドレスを取得するため、および前記１つまたは複数のワイヤレス信号の１つまたは複数の特性の測定値を取得するために、前記モバイルデバイスから送信された１つまたは複数のワイヤレス信号を収集するための手段と、ここにおいて、前記取得されたグローバルな一意の識別子は、前記メディアアクセス制御（ＭＡＣ）アドレス以外である、
前記１つまたは複数の測定値および前記グローバルな一意の識別子を備えることに対する１つまたは複数のメッセージを測位動作における使用のためにロケーションサーバに送信するための手段とを備える、装置。
【請求項１３】
ロケーションサーバにおいて、
ベニュー内のフェムトセルトランシーバによって認識可能であり、任意の公衆事業者定義のグローバルに一意の識別子とは無関係に決定された、モバイルデバイスのためのグローバルな一意の識別子およびメディアアクセス制御（ＭＡＣ）アドレスを備える第１のメッセージを、前記モバイルデバイスから受信することと、
前記グローバルな一意の識別子およびフェムトセルトランシーバによって取得された１つまたは複数の測定値を備える第２のメッセージを、前記フェムトセルトランシーバから受信することと、ここにおいて、前記１つまたは複数の測定値が、前記モバイルデバイスによって送信され、前記グローバルな一意の識別子を備えるかまたはそれと関連付けられた１つまたは複数のワイヤレス信号の１つまたは複数の特性に関するものである、
前記１つまたは複数の測定値に少なくとも部分的に基づいて前記モバイルデバイスに対する１つまたは複数の測位動作を実行することとを備える、方法。
【請求項１４】
ロケーションサーバにおける装置であって、
ベニュー内のフェムトセルトランシーバによって認識可能であり、任意の公衆事業者定義のグローバルに一意の識別子とは無関係に決定された、モバイルデバイスのためのグローバルな一意の識別子およびメディアアクセス制御（ＭＡＣ）アドレスを備える第１のメッセージを、前記モバイルデバイスから受信するための手段と、
前記グローバルな一意の識別子およびフェムトセルトランシーバによって取得された１つまたは複数の測定値を備える第２のメッセージを、前記フェムトセルトランシーバから受信するための手段と、ここにおいて、前記１つまたは複数の測定値が、前記モバイルデバイスによって送信され、前記グローバルな一意の識別子を備えるかまたはそれと関連付けられた１つまたは複数のワイヤレス信号の１つまたは複数の特性に関するものである、
前記１つまたは複数の測定値に少なくとも部分的に基づいて前記モバイルデバイスに対する１つまたは複数の測位動作を実行するための手段とを備える、装置。
【請求項１５】
請求項１乃至９、１１または１３のうちの１項に従った方法を実行するために、記憶された機械可読命令を備える非一時的記憶媒体。
【手続補正２】
【補正対象書類名】明細書
【補正対象項目名】０１１８
【補正方法】変更
【補正の内容】
【０１１８】
[000125]現在考えられる例示的な特徴を図示および説明したが、特許請求の範囲に記載された対象から逸脱することなしに、様々な他の修正が行われてよく、また均等物の置換が可能であることは当業者によって理解されよう。さらに、本明細書で説明した主要な概念から逸脱することなしに、特定の状況を特許請求の範囲に記載された対象の教示に適応させるために、多くの修正が行われ得る。したがって、特許請求の範囲に記載された対象は、開示した特定の例に限定されないが、そのような特許請求の範囲に記載された対象は、添付の特許請求の範囲に含まれるすべての態様、およびそれらの均等物も含み得ることが意図される。
以下に本願発明の当初の特許請求の範囲に記載された発明を付記する。
［Ｃ１］モバイルデバイスにおける方法であって、ベニュー内でフェムトセルトランシーバによって認識可能であり、任意の公衆事業者定義のグローバルに一意の識別子とは無関係に決定された、前記モバイルデバイスのためのグローバルな一意の識別子を決定することと、前記グローバルな一意の識別子を備える少なくとも１つのメッセージをロケーションサーバに送信することと、前記ロケーションサーバと通信中の前記フェムトセルトランシーバのうちの少なくとも１つによる測位動作をサポートするために、前記グローバルな一意の識別子を備える１つまたは複数のワイヤレス信号を前記フェムトセルトランシーバのうちの前記少なくとも１つに送信することとを備える、方法。
［Ｃ２］前記１つまたは複数のワイヤレス信号が、前記フェムトセルトランシーバのうちの前記少なくとも１つからの要求に応答することなく送信される、Ｃ１に記載の方法。
［Ｃ３］前記測位動作が、ネットワーク中心測位動作を備える、Ｃ１に記載の方法。
［Ｃ４］前記グローバルな一意の識別子が、前記モバイルデバイスのプロバイダに割り当てられた一意のＩＤと、前記モバイルデバイスの前記プロバイダによって割り当てられたローカル識別子との連結を備える、Ｃ１に記載の方法。
［Ｃ５］前記モバイルデバイスの前記プロバイダが、前記モバイルデバイスに対する、高レベルオペレーティングシステム、測位エンジン、モデム、アプリケーション、加入者識別モジュール、またはユニバーサル加入者識別モジュールのうちの少なくとも１つのプロバイダを備える、Ｃ４に記載の方法。
［Ｃ６］前記測位エンジンが、測位動作を実行するように構成されたハードコードされたデバイスを備える、Ｃ５に記載の方法。
［Ｃ７］前記測位エンジンが、測位動作を実行することをプロセッサによって実行できる機械可読命令を備える、Ｃ５に記載の方法。
［Ｃ８］前記ロケーションサーバが、セキュアユーザプレーンロケーション（ＳＵＰＬ）ロケーションプラットフォーム（ＳＬＰ）、拡張サービングモバイルロケーションセンター（Ｅ−ＳＭＬＣ）、またはスタンドアロンサービングモバイルロケーションセンター（ＳＡＳ）のうちの少なくとも１つを備え、前記ロケーションサーバに前記少なくとも１つのメッセージを送信することが、フェムトセルトランシーバおよび前記フェムトセルトランシーバに接続されたローカルルーティングデバイスを介して前記少なくとも１つのメッセージを送信することを備える、Ｃ１に記載の方法。
［Ｃ９］前記フェムトセルトランシーバが、ロングタームエボリューション（ＬＴＥ）に従って構成されたホーム展開型ｅＮｏｄｅＢ（ＨｅＮＢ）を備え、前記ロケーションサーバとの通信が、ＬＴＥ測位プロトコルＡ（ＬＰＰａ）メッセージを送信することおよび受信することを備える、Ｃ８に記載の方法。
［Ｃ１０］前記フェムトセルトランシーバが、ＵＭＴＳに従って構成されたホームＮｏｄｅＢ（ＨＮＢ）を備え、前記ロケーションサーバとの通信が、測位演算アプリケーションパート（ＰＣＡＰ）メッセージを送信することおよび受信することを備える、Ｃ８に記載の方法。
［Ｃ１１］ロケーションベースサービスアプリケーションサーバ（ＬＢＳ  ＡＳ）から前記モバイルデバイス上のアプリケーションによってロケーションサービスを取得することをさらに備え、前記ＬＢＳ  ＡＳが前記ロケーションサーバに対する前記モバイルデバイスを識別することを可能にするために、前記アプリケーションが前記ＬＢＳ  ＡＳに前記グローバルな一意の識別子を与える、Ｃ１に記載の方法。
［Ｃ１２］ワイヤレス通信ネットワークにメッセージを送信し、ワイヤレス通信ネットワークからメッセージを受信するためのトランシーバと、ベニュー内でフェムトセルトランシーバによって認識可能であり、任意の公衆事業者定義のグローバルに一意の識別子とは無関係に決定された、モバイルデバイスのためのグローバルな一意の識別子を決定すること、前記グローバルな一意の識別子を備える少なくとも１つのメッセージを前記トランシーバを介してロケーションサーバに送信することを開始すること、および前記ロケーションサーバと通信中の前記フェムトセルトランシーバのうちの少なくとも１つによる測位動作をサポートするために、前記グローバルな一意の識別子を備える１つまたは複数のワイヤレス信号を、前記トランシーバを介して前記フェムトセルトランシーバのうちの前記少なくとも１つに送信することを開始すること、を行うための１つまたは複数のプロセッサとを備える、モバイルデバイス。
［Ｃ１３］前記ロケーションサーバが、ローカルＳＵＰＬ  ロケーションプラットフォーム（ＳＬＰ）を備え、前記少なくとも１つのメッセージが、フェムトセルトランシーバおよび前記ロケーションサーバに接続されたローカルルーティングデバイスを介して前記ロケーションサーバに送信される、Ｃ１２に記載のモバイルデバイス。
［Ｃ１４］前記１つまたは複数のワイヤレス信号が、前記フェムトセルトランシーバのうちの前記少なくとも１つからの要求に応答することなく送信される、Ｃ１２に記載のモバイルデバイス。
［Ｃ１５］前記グローバルな一意の識別子が、前記モバイルデバイスのプロバイダに割り当てられた一意のＩＤと、前記モバイルデバイスの前記プロバイダによって割り当てられたローカル識別子との連結を備える、Ｃ１２に記載のモバイルデバイス。
［Ｃ１６］前記モバイルデバイスの前記プロバイダが、前記モバイルデバイスに対する、高レベルオペレーティングシステム、測位エンジン、モデム、アプリケーション、加入者識別モジュール、またはユニバーサル加入者識別モジュールのうちの少なくとも１つのプロバイダを備える、Ｃ１５に記載のモバイルデバイス。
［Ｃ１７］前記測位エンジンが、測位動作をするように構成されたハードコードされたデバイスを備える、Ｃ１６に記載のモバイルデバイス。
［Ｃ１８］前記測位エンジンが、測位動作を実行することをプロセッサによって実行できる機械可読命令を備える、Ｃ１６に記載のモバイルデバイス。
［Ｃ１９］記憶された機械可読命令を備える非一時的記憶媒体であって、前記機械可読命令が、モバイルデバイスの専用計算装置によって、ベニュー内でフェムトセルトランシーバによって認識可能であり、任意の公衆事業者定義のグローバルに一意の識別子とは無関係に決定された、前記モバイルデバイスのためのグローバルな一意の識別子を決定することと、前記グローバルな一意の識別子を備える少なくとも１つのメッセージをロケーションサーバに送信することを開始することと、前記ロケーションサーバと通信中の前記フェムトセルトランシーバのうちの少なくとも１つによる測位動作をサポートするために、前記グローバルな一意の識別子を備える１つまたは複数のワイヤレス信号を前記フェムトセルトランシーバのうちの前記少なくとも１つに送信することを開始することとを行うことを実行できる、非一時的記憶媒体。
［Ｃ２０］モバイルデバイスにおける装置であって、ベニュー内でフェムトセルトランシーバによって認識可能であり、任意の公衆事業者定義のグローバルに一意の識別子とは無関係に決定された、前記モバイルデバイスのためのグローバルな一意の識別子を決定するための手段と、前記グローバルな一意の識別子を備える少なくとも１つのメッセージをロケーションサーバに送信するための手段と、前記ロケーションサーバと通信中の前記フェムトセルトランシーバのうちの少なくとも１つによる測位動作をサポートするために、前記グローバルな一意の識別子を備える１つまたは複数のワイヤレス信号を前記フェムトセルトランシーバのうちの前記少なくとも１つに送信するための手段とを備える、装置。
［Ｃ２１］フェムトセルトランシーバにおいて、任意の事業者定義のグローバルに一意の識別子とは無関係にモバイルデバイスにおいて決定されたグローバルな一意の識別子を取得するため、および１つまたは複数のワイヤレス信号の１つまたは複数の特性の１つまたは複数の測定値を取得するために、前記モバイルデバイスから送信された前記１つまたは複数のワイヤレス信号を収集することと、前記１つまたは複数の測定値および前記グローバルな一意の識別子を備える１つまたは複数のメッセージを測位動作における使用のためにロケーションサーバに送信することとを備える、方法。
［Ｃ２２］前記１つまたは複数のワイヤレス信号が、前記フェムトセルトランシーバからの要求に応答することなく送信される、Ｃ２１に記載の方法。
［Ｃ２３］前記測位動作が、ネットワーク中心測位動作を備える、Ｃ２１に記載の方法。
［Ｃ２４］前記グローバルな一意の識別子が、前記モバイルデバイスのプロバイダに割り当てられた一意のＩＤと、前記モバイルデバイスの前記プロバイダによって割り当てられたローカル識別子との連結を備える、Ｃ２１に記載の方法。
［Ｃ２５］前記モバイルデバイスの前記プロバイダが、前記モバイルデバイスに対する、高レベルオペレーティングシステム、測位エンジン、モデム、アプリケーション、加入者識別モジュール、またはユニバーサル加入者識別モジュールのうちの少なくとも１つのプロバイダを備える、Ｃ２４に記載の方法。
［Ｃ２６］前記ロケーションサーバが、セキュアユーザプレーンロケーション（ＳＵＰＬ）ロケーションプラットフォーム（ＳＬＰ）、拡張サービングモバイルロケーションセンター（Ｅ−ＳＭＬＣ）、またはスタンドアロンサービングモバイルロケーションセンター（ＳＡＳ）のうちの少なくとも１つを備え、前記ロケーションサーバに前記１つまたは複数のメッセージを送信することが、前記フェムトセルトランシーバに接続されたローカルルーティングデバイスを介して前記１つまたは複数のメッセージを送信することを備える、Ｃ２１に記載の方法。
［Ｃ２７］前記フェムトセルトランシーバが、ロングタームエボリューション（ＬＴＥ）に従って構成されたホーム展開型ｅＮｏｄｅＢ（ＨｅＮＢ）を備え、前記ロケーションサーバに１つまたは複数のメッセージを送信することが、ＬＴＥ測位プロトコルＡ（ＬＰＰａ）メッセージを送信することを備える、Ｃ２６に記載の方法。
［Ｃ２８］前記フェムトセルトランシーバが、ＵＭＴＳに従って構成されたホームＮｏｄｅＢ（ＨＮＢ）を備え、前記ロケーションサーバに１つまたは複数のメッセージを送信することが、測位演算アプリケーションパート（ＰＣＡＰ）メッセージを送信することを備える、Ｃ２６に記載の方法。
［Ｃ２９］前記１つまたは複数の測定値が、少なくとも１つの受信信号強度インジケーション（ＲＳＳＩ）測定値を備える、Ｃ２６に記載の方法。
［Ｃ３０］前記１つまたは複数の測定値が、少なくとも１つの往復信号伝播時間（ＲＴＴ）測定値を備える、Ｃ２６に記載の方法。
［Ｃ３１］前記１つまたは複数の測定値が、少なくとも１つの信号到来角（ＡＯＡ）測定値を備える、Ｃ２６に記載の方法。
［Ｃ３２］ワイヤレス受信機と、送信機と、任意の事業者定義のグローバルに一意の識別子とは無関係にモバイルデバイスにおいて決定されたグローバルな一意の識別子を、前記モバイルデバイスによって送信され、前記ワイヤレス受信機において収集された１つまたは複数のワイヤレス信号から取得すること、前記収集された１つまたは複数のワイヤレス信号の１つまたは複数の特性の１つまたは複数の測定値を取得すること、および前記１つまたは複数の測定値および前記グローバルな一意の識別子を備える１つまたは複数のメッセージを、前記送信機を介して測位動作における使用のためにロケーションサーバに送信することを開始すること、を行うための１つまたは複数のプロセッサとを備える、フェムトセルトランシーバ。
［Ｃ３３］前記１つまたは複数のワイヤレス信号が、前記フェムトセルトランシーバからの要求に応答することなく送信される、Ｃ３２に記載のフェムトセルトランシーバ。
［Ｃ３４］前記測位動作が、ネットワーク中心測位動作を備える、Ｃ３２に記載のフェムトセルトランシーバ。
［Ｃ３５］前記グローバルな一意の識別子が、前記モバイルデバイスの測位エンジンのプロバイダに割り当てられた一意のＩＤと、前記モバイルデバイスの前記プロバイダによって割り当てられたローカル識別子との連結を備える、Ｃ３２に記載のフェムトセルトランシーバ。
［Ｃ３６］前記ロケーションサーバが、ローカルＳＵＰＬロケーションプラットフォーム（ＳＬＰ）を備え、前記ロケーションサーバに前記１つまたは複数のメッセージを送信することが、前記ロケーションサーバに接続されたローカルルーティングデバイスを介して前記１つまたは複数のメッセージを送信することを備える、Ｃ３２に記載のフェムトセルトランシーバ。
［Ｃ３７］前記フェムトセルトランシーバが、ＬＴＥに従って構成され、１つまたは複数のメッセージが、ＬＰＰａメッセージとしてローカルＳＬＰに送信される、Ｃ３６に記載のフェムトセルトランシーバ。
［Ｃ３８］前記フェムトセルトランシーバが、ＵＭＴＳに従って構成され、１つまたは複数のメッセージが、ＰＣＡＰメッセージとして前記ローカルＳＬＰに送信される、Ｃ３７に記載のフェムトセルトランシーバ。
［Ｃ３９］前記１つまたは複数の測定値が、少なくとも１つのＲＳＳＩ測定値を備える、Ｃ３２に記載のフェムトセルトランシーバ。
［Ｃ４０］前記１つまたは複数の測定値が、少なくとも１つのＲＴＴ測定値を備える、Ｃ３２に記載のフェムトセルトランシーバ。
［Ｃ４１］前記１つまたは複数の測定値が、少なくとも１つのＡＯＡ測定値を備える、Ｃ３２に記載のフェムトセルトランシーバ。
［Ｃ４２］記憶された機械可読命令を備える非一時的記憶媒体であって、前記機械可読命令が、フェムトセルトランシーバの専用計算装置によって、任意の事業者定義のグローバルに一意の識別子とは無関係にモバイルデバイスにおいて決定されたグローバルな一意の識別子を、前記モバイルデバイスによって送信され、前記フェムトセルトランシーバにおいて収集された１つまたは複数のワイヤレス信号から取得することと、前記収集された１つまたは複数のワイヤレス信号の１つまたは複数の特性の１つまたは複数の測定値を取得することと、前記１つまたは複数の測定値および前記グローバルな一意の識別子を備える１つまたは複数のメッセージを測位動作における使用のためにロケーションサーバに送信することを開始することとを行うことを実行できる、非一時的記憶媒体。
［Ｃ４３］フェムトセルトランシーバにおける装置であって、任意の事業者定義のグローバルに一意の識別子とは無関係にモバイルデバイスにおいて決定されたグローバルな一意の識別子を取得するため、および前記１つまたは複数のワイヤレス信号の１つまたは複数の特性の測定値を取得するために、前記モバイルデバイスから送信された１つまたは複数のワイヤレス信号を収集するための手段と、前記１つまたは複数の測定値および前記グローバルな一意の識別子を備えることに対する１またはメッセージを測位動作における使用のためにロケーションサーバに送信するための手段とを備える、装置。
［Ｃ４４］ロケーションサーバにおいて、ベニュー内のフェムトセルトランシーバによって認識可能であり、任意の公衆事業者定義のグローバルに一意の識別子とは無関係に決定された、モバイルデバイスのためのグローバルな一意の識別子を備える第１のメッセージを、前記モバイルデバイスから受信することと、前記グローバルな一意の識別子およびフェムトセルトランシーバによって取得された１つまたは複数の測定値を備える第２のメッセージを、前記フェムトセルトランシーバから受信することと、ここにおいて、前記１または測定値が、前記モバイルデバイスによって送信され、前記グローバルな一意の識別子を備えるかまたはそれと関連付けられた１つまたは複数のワイヤレス信号の１つまたは複数の特性に関するものである、前記１つまたは複数の測定値に少なくとも部分的に基づいて前記モバイルデバイスに対する１つまたは複数の測位動作を実行することとを備える、方法。
［Ｃ４５］前記１つまたは複数のワイヤレス信号が、前記フェムトセルトランシーバからの要求に応答することなく送信される、Ｃ４４に記載の方法。
［Ｃ４６］前記測位動作が、ネットワーク中心測位動作を備える、Ｃ４４に記載の方法。
［Ｃ４７］前記グローバルな一意の識別子が、前記モバイルデバイスのプロバイダに割り当てられた一意のＩＤと、前記モバイルデバイスの前記プロバイダによって割り当てられたローカル識別子との連結を備える、Ｃ４４に記載の方法。
［Ｃ４８］前記モバイルデバイスの前記プロバイダが、前記モバイルデバイスに対する、高レベルオペレーティングシステム、測位エンジン、モデム、アプリケーション、加入者識別モジュール、またはユニバーサル加入者識別モジュールのうちの少なくとも１つのプロバイダを備える、Ｃ４７に記載の方法。
［Ｃ４９］前記ロケーションサーバが、セキュアユーザプレーンロケーション（ＳＵＰＬ）ロケーションプラットフォーム（ＳＬＰ）、拡張サービングモバイルロケーションセンター（Ｅ−ＳＭＬＣ）、またはスタンドアロンサービングモバイルロケーションセンター（ＳＡＳ）のうちの少なくとも１つを備え、前記第２のメッセージを受信することが、前記フェムトセルトランシーバに接続されたローカルルーティングデバイスを介して前記第２のメッセージを受信することを備える、Ｃ４４に記載の方法。
［Ｃ５０］前記フェムトセルトランシーバが、ロングタームエボリューション（ＬＴＥ）に従って構成されたホーム展開型ｅＮｏｄｅＢ（ＨｅＮＢ）を備え、前記ロケーションサーバに１つまたは複数のメッセージを送信することが、ＬＴＥ測位プロトコルＡ（ＬＰＰａ）メッセージを送信することを備える、Ｃ４９に記載の方法。
［Ｃ５１］前記モバイルデバイスによって送信され、前記グローバルな一意の識別子を搬送するかまたはそれと関連付けられた信号をモニタするように、前記フェムトセルトランシーバを構成することをさらに備える、Ｃ４４に記載の方法。
［Ｃ５２］通信インターフェースと、モバイルデバイスから前記通信インターフェースにおいて受信された、前記モバイルデバイスのためのグローバルな一意の識別子を備える、第１のメッセージを取得すること、ここにおいて、前記グローバルな一意の識別子が、ベニュー内のフェムトセルトランシーバによって認識可能であり、任意の公衆事業者定義のグローバルに一意の識別子とは無関係に決定される、フェムトセルトランシーバから前記通信インターフェースにおいて受信された、前記グローバルな一意の識別子および前記フェムトセルトランシーバによって取得された１つまたは複数の測定値を備える、第２のメッセージを取得すること、ここにおいて、前記１または測定値が、前記モバイルデバイスによって送信され、前記グローバルな一意の識別子を備えるかまたはそれと関連付けられた１つまたは複数のワイヤレス信号の１つまたは複数の特性に関するものである、および前記１つまたは複数の測定値に少なくとも部分的に基づいて前記モバイルデバイスに対する１つまたは複数の測位動作を実行すること、を行うための１つまたは複数のプロセッサとを備える、ロケーションサーバ。
［Ｃ５３］ロケーションサーバにおける装置であって、ベニュー内のフェムトセルトランシーバによって認識可能であり、任意の公衆事業者定義のグローバルに一意の識別子とは無関係に決定された、モバイルデバイスのためのグローバルな一意の識別子を備える第１のメッセージを、前記モバイルデバイスから受信するための手段と、前記グローバルな一意の識別子およびフェムトセルトランシーバによって取得された１つまたは複数の測定値を備える第２のメッセージを、前記フェムトセルトランシーバから受信するための手段と、ここにおいて、前記１または測定値が、前記モバイルデバイスによって送信され、前記グローバルな一意の識別子を備えるかまたはそれと関連付けられた１つまたは複数のワイヤレス信号の１つまたは複数の特性に関するものである、前記１つまたは複数の測定値に少なくとも部分的に基づいて前記モバイルデバイスに対する１つまたは複数の測位動作を実行するための手段とを備える、装置。
［Ｃ５４］記憶された機械可読命令を備える非一時的記憶媒体であって、前記機械可読命令が、ロケーションサーバの専用計算装置によって、モバイルデバイスから受信された、前記モバイルデバイスのためのグローバルな一意の識別子を備える、第１のメッセージを取得することと、ここにおいて、前記グローバルな一意の識別子が、ベニュー内のフェムトセルトランシーバによって認識可能であり、任意の公衆事業者定義のグローバルに一意の識別子とは無関係に決定される、フェムトセルトランシーバから受信された、前記グローバルな一意の識別子および前記フェムトセルトランシーバによって取得された１つまたは複数の測定値を備える、第２のメッセージを取得することと、ここにおいて、前記１つまたは複数の測定値が、前記モバイルデバイスによって送信され、前記グローバルな一意の識別子を備えるかまたはそれと関連付けられた１つまたは複数のワイヤレス信号の１つまたは複数の特性に関するものである、前記１つまたは複数の測定値に少なくとも部分的に基づいて前記モバイルデバイスに対する１つまたは複数の測位動作を実行することとを行うことを実行できる、非一時的記憶媒体。